【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
ウェアラブル体外式除細動器であって、
心臓信号を検出する為に患者の皮膚と係合するように構成された２つ以上の検知電極と；
前記患者の皮膚と係合し、且つ前記患者に電気治療を送達するように構成された第１除細動器電極パッドであって、前記患者の皮膚と継続的に接触するように構成された第１除細動器電極パッドと；
接着剤と、前記第１除細動器電極パッドと、ウェアラブル体外式除細動器が継続的に着用されることを可能にする為に、流体を皮膚から離して輸送するように構成された第１流体輸送要素と、第１蒸気透過層とを含む第１患者係合基板と；
第２除細動器電極パッドと、第２接着剤と、ウェアラブル体外式除細動器が継続的に着用されることを可能にする為に、流体を皮膚から離して輸送するように構成された、第２患者係合基板と流体連通した第２流体輸送要素と、第２蒸気透過層とを含む第２患者係合基板と；
エネルギー源と；
前記エネルギー源、並びに前記第１除細動器電極パッド及び前記第２除細動器電極パッドと電気的に連通する１つ以上のコンデンサと；
前記２つ以上の検知電極によって前記心臓信号を検出し、且つ前記エネルギー源により前記１つ以上のコンデンサを充電し、その後に１つ以上のコンデンサを放電して、前記第１及び第２患者係合基板が前記患者と係合される間に、前記第１除細動器電極パッド及び前記第２除細動器電極パッドを通して前記患者に治療ショックを送達することが続くように構成されたコントローラであって、前記エネルギー源、１つ以上のコンデンサ、及びコントローラが、前記第１患者係合基板と前記第２患者係合基板の少なくとも１つによって支持される複数のハウジング内に封入される、コントローラと、
前記複数のハウジングの間に電気的連通を提供するフレキシブル回路と、を備える、
ウェアラブル体外式除細動器。
【請求項２】
前記複数のハウジングのうちの２つ以上のハウジングの間における１つ以上の機械的接続を更に含む請求項１に記載のウェアラブル除細動器。
【請求項３】
前記フレキシブル回路が、前記複数のハウジングのうちの１つ以上のハウジングから電気接続を受けるように構成される請求項１に記載のウェアラブル除細動器。
【請求項４】
前記フレキシブル回路が、前記第１患者係合基板によって支持される請求項１に記載のウェアラブル除細動器。
【請求項５】
前記複数のハウジング及び前記第１除細動器電極パッドの間に配置され、前記複数のハウジングのせん断荷重を分散させるように構成される支持シャーシを更に含む請求項１に記載のウェアラブル除細動器。
【請求項６】
前記コントローラが、前記第１除細動器電極パッド、前記第２除細動器電極パッド、及び前記２つ以上の検知電極からなる群から選択される電極対の間のインピーダンスを測定するように構成される請求項１に記載のウェアラブル除細動器。
【請求項７】
前記コントローラは、前記電極対が、患者の皮膚と適切に接触しているか否かを判定する為に前記インピーダンスを分析するように構成される請求項６に記載のウェアラブル除細動器。
【請求項８】
前記第１除細動器電極パッド及び前記第２除細動器電極パッドの各々が、導電性接着剤を含む請求項１に記載のウェアラブル除細動器。
【請求項９】
前記第１除細動器電極パッド及び前記第２除細動器電極パッドの各々が、複数の穿孔を有する請求項１に記載のウェアラブル除細動器。
【請求項１０】
前記第１除細動器電極パッド及び前記第２除細動器電極パッドの各々が、炭素ビニルフィルム、Ａｇ／ＡｇＣｌ被覆炭素ビニルフィルム、又はＡｇ被覆炭素ビニルフィルムを含む請求項１に記載のウェアラブル除細動器。
【請求項１１】
前記導電性接着剤が、導電性ヒドロゲルを含む請求項８に記載のウェアラブル除細動器。
【請求項１２】
前記ウェアラブル除細動器からのデータを無線伝送するように構成された無線通信機を更に含む請求項１に記載のウェアラブル除細動器。
【請求項１３】
前記コントローラが、患者の複数のベクトルに沿ったインピーダンス変化を検知するために、前記第１除細動器電極パッド、前記第２除細動器電極パッド、及び前記２つ以上の検知電極からなる群から選択される電極対の間のインピーダンスを測定するように構成され、前記コントローラが、患者の前記複数のベクトルに沿った前記インピーダンス変化を分析するように構成される請求項１に記載のウェアラブル除細動器。
【請求項１４】
触覚フィードバックモジュールを更に含む請求項１に記載のウェアラブル除細動器。
【請求項１５】
前記触覚フィードバックモジュールが、振動モータである請求項１４に記載のウェアラブル除細動器。
【請求項１６】
前記複数のハウジングの１つ以上と前記第１患者係合基板及び前記第２患者係合基板の少なくとも１つとの間の接続であって、前記複数のハウジング及び前記複数のハウジング内部の部品の重量を支持するように構成された接続を更に含む請求項１に記載のウェアラブル除細動器。
【請求項１７】
前記接続が、前記複数のハウジング及び前記第１患者係合基板の間の相対運動を可能にする請求項１６に記載のウェアラブル除細動器。
【請求項１８】
前記接続が、前記複数のハウジング及び第１前記患者係合基板の間の１つ以上の電気接続を更に含む請求項１６に記載のウェアラブル除細動器。
【請求項１９】
前記接続が、取り外し可能で、且つ可逆的な接続を含む請求項１６に記載のウェアラブル除細動器。
【請求項２０】
前記コントローラが、２つ以上の離散周波数を使用して、前記インピーダンスを測定するように更に構成される請求項６に記載のウェアラブル除細動器。
【請求項２１】
前記コントローラが更に、前記２つ以上の離散周波数において測定された前記インピーダンスを分析し、前記インピーダンスに基づき患者の治療ショックの力を判定するように構成される請求項２０に記載のウェアラブル除細動器。
【請求項２２】
前記複数のハウジングの各々は、前記エネルギー源、前記１つ以上のコンデンサ、及び前記コントローラのうちの、１つ以上を複数を可逆的に受け取り、支持するように構成される請求項１に記載のウェアラブル除細動器。
【請求項２３】
前記エネルギー源、前記１つ以上のコンデンサ、及び前記コントローラのうちの、１つ以上と可逆的に係合するように各々が構成された１つ以上のコネクタであって、前記第１患者係合基板、前記第１患者係合基板、及び／又は前記複数のハウジングによって支持される電気コネクタを更に含む請求項２２に記載のウェアラブル除細動器。
【手続補正２】
【補正対象書類名】明細書
【補正対象項目名】０１９７
【補正方法】変更
【補正の内容】
【０１９７】
本明細書に含まれる実施例及び図解は、限定ではなく例示として、主題が実施され得る具体的な実施態様を示す。言及したように、他の実施態様は、構造的且つ論理的な置き換え及び変更が、本開示の範囲から逸脱することなくなされ得るように、利用され、且つそこから派生され得る。本発明主題のかかる実施態様は、本明細書において個別に、又はまとめて用語「発明」によって参照され得るが、但し専ら便宜上であり、且つ本出願の範囲をいずれかの単一の発明又は発明の概念に自発的に限定することは、実際に２つ以上が開示される場合に、意図しない。従って、本明細書において特定の実施態様が例示及び記載されたが、同じ目的を達成するように計算されたいずれの配列も、示された特定の実施態様の代わりに用いても良い。本開示は、種々の実施態様のいずれの、且つあらゆる適応又は変形例をカバーするように意図される。上記実施態様と、本明細書に具体的に記載されない他の実施態様との組み合わせは、当業者にとって、上記記載を検討すれば明らかになるであろう。
〔付記１〕
ウェアラブル体外式除細動器であって、
心臓信号を検出する為に患者の皮膚と係合するように構成された１つ以上の検知電極と；
前記患者の皮膚と係合し、且つ前記患者に電気治療を送達するように構成された第１除細動器電極パッドであって、前記患者の皮膚と継続的に接触するように構成された第１除細動器電極パッドと；
接着剤と、前記第１除細動器電極パッドと、ウェアラブル体外式除細動器が継続的に着用されることを可能にする為に、流体を皮膚から離して輸送するように構成された第１流体輸送要素と、第１蒸気透過層とを含む第１患者係合基板と；
第２除細動器電極パッドと、第２接着剤と、ウェアラブル体外式除細動器が継続的に着用されることを可能にする為に、流体を皮膚から離して輸送するように構成された、第２患者係合基板と流体連通した第２流体輸送要素と、第２蒸気透過層とを含む第２患者係合基板と；
エネルギー源と；
前記エネルギー源、並びに前記第１除細動器電極パッド及び前記第２除細動器電極パッドと電気的に連通する１つ以上のコンデンサと；
前記１つ以上の検知電極及び前記第２患者係合基板の検知電極によって前記心臓信号を検出し、且つ前記エネルギー源により前記１つ以上のコンデンサを充電し、その後に１つ以上のコンデンサを放電して、前記第１及び第２患者係合基板が前記患者と係合される間に、前記第１除細動器電極パッド及び前記第２除細動器電極パッドを通して前記患者に治療ショックを送達することが続くように構成されたコントローラとを含み、前記エネルギー源、１つ以上のコンデンサ、及びコントローラが、１つ以上のハウジング内に封入されるウェアラブル体外式除細動器。
〔付記２〕
前記第１患者係合基板が、前記１つ以上の検知電極を含む付記１に記載のウェアラブル除細動器。
〔付記３〕
前記第１患者係合基板が、２つ以上の検知電極を含む付記２に記載のウェアラブル除細動器。
〔付記４〕
前記第２患者係合基板が、検知電極を含む付記１乃至３のいずれかに記載のウェアラブル除細動器。
〔付記５〕
前記第１除細動器電極パッド及び前記第２除細動器電極パッドが、心臓信号を検出するように構成される付記１乃至４のいずれかに記載のウェアラブル除細動器。
〔付記６〕
前記１つ以上のハウジングが、第１コントローラハウジングを含み、前記コントローラが、前記第１コントローラハウジング内に含まれる付記１乃至５のいずれかに記載のウェアラブル除細動器。
〔付記７〕
前記１つ以上のハウジングが、第１エネルギー源ハウジングを含み、前記エネルギー源が、前記第１エネルギー源ハウジング内に含まれる付記１乃至６のいずれかに記載のウェアラブル除細動器。
〔付記８〕
前記１つ以上のハウジングが、第１コンデンサハウジングと、第２コンデンサハウジングとを含み、前記コンデンサが、前記第１コンデンサハウジング及び前記第２コンデンサハウジング内に含まれる付記１乃至７のいずれかに記載のウェアラブル除細動器。
〔付記９〕
前記第１コントローラハウジングが、第１コントローラハウジング電気接続を含み、前記第１エネルギー源ハウジングが、第１エネルギー源ハウジング電気接続を含み、前記第１コンデンサハウジングが、第１コンデンサ電気接続を含み、且つ前記第２コンデンサハウジングが、第２電気接続を含む付記６乃至８のいずれかに記載のウェアラブル除細動器。
〔付記１０〕
前記第１コントローラハウジング、前記第１エネルギー源ハウジング、前記第１コンデンサハウジング、及び前記第２コンデンサハウジングの各々の間に機械的接続を更に含む付記９に記載のウェアラブル除細動器。
〔付記１１〕
フレキシブル回路と、１つ以上のリジッドプリント回路基板（ＰＣＢ）とを更に含む付記１乃至１０のいずれかに記載のウェアラブル除細動器。
〔付記１２〕
前記フレキシブル回路が、前記第１コントローラハウジング電気接続、前記第１エネルギー源ハウジング電気接続、前記第１コンデンサ電気接続、及び前記第２電気接続を受けるように構成される付記１１に記載のウェアラブル除細動器。
〔付記１３〕
前記フレキシブル回路が、前記第１コントローラハウジング、前記第１エネルギー源ハウジング、前記第１コンデンサハウジング、及び前記第２コンデンサハウジングと電気的に連通する付記１２に記載のウェアラブル除細動器。
〔付記１４〕
前記フレキシブル回路が、前記第１コントローラハウジング及び前記第１エネルギー源ハウジング、前記第１コンデンサハウジング、及び前記第２コンデンサハウジングの間に電気的連通を提供する付記１２又は１３に記載のウェアラブル除細動器。
〔付記１５〕
前記フレキシブル回路が、前記第１蒸気透過層及び前記第１除細動器電極パッドの間で前記第１患者係合基板によって支持される付記１１乃至１４のいずれかに記載のウェアラブル除細動器。
〔付記１６〕
前記第１患者係合基板が、前記１つ以上のハウジングを支持するように構成される付記１乃至１５のいずれかに記載のウェアラブル除細動器。
〔付記１７〕
前記第２患者係合基板が、前記１つ以上のハウジングを支持するように構成される付記１乃至１６のいずれかに記載のウェアラブル除細動器。
〔付記１８〕
前記第１患者係合基板及び前記第２患者係合基板が、シャワー活動中に着用されるように構成される付記１乃至１７のいずれかに記載のウェアラブル除細動器。
〔付記１９〕
前記第１患者係合基板が、外面を含み、且つ前記第２患者係合基板が、外面を含む付記１乃至１８のいずれかに記載のウェアラブル除細動器。
〔付記２０〕
前記第１蒸気透過層の一部が、前記第１患者係合面の外面に相当する付記１乃至１９のいずれかに記載のウェアラブル除細動器。
〔付記２１〕
前記第２蒸気透過層の一部が、前記第２患者係合面の外面に相当する付記１乃至２０のいずれかに記載のウェアラブル除細動器。
〔付記２２〕
前記第１患者係合基板及び前記第２患者係合基板の外面が、水蒸気透過性である付記１９乃至２１のいずれかに記載のウェアラブル除細動器。
〔付記２３〕
前記第１患者係合基板及び前記第２患者係合基板の外面が、前記患者係合基板の表面積に基づき、１日当たり約１０００ｇ／ｍ２を超える水蒸気輸送を有する付記１９乃至２２のいずれかに記載のウェアラブル除細動器。
〔付記２４〕
前記第１患者係合基板及び前記第２患者係合基板の外面が、前記患者係合基板の表面積に基づき、１日当たり約２０００ｇ／ｍ２を超える水蒸気輸送を有する付記１９乃至２３のいずれかに記載のウェアラブル除細動器。
〔付記２５〕
前記第１患者係合基板及び前記第２患者係合基板の外面が、前記患者係合基板の表面積に基づき、１日当たり約５０００ｇ／ｍ２を超える水蒸気輸送を有する付記１９乃至２４のいずれかに記載のウェアラブル除細動器。
〔付記２６〕
前記第１患者係合基板及び前記第２患者係合基板の外面が、前記患者係合基板の表面積に基づき、１日当たり約８０００ｇ／ｍ２を超える水蒸気輸送を有する付記１９乃至２５のいずれかに記載のウェアラブル除細動器。
〔付記２７〕
前記第１患者係合基板及び前記第２患者係合基板の外面が、通気性である付記１９乃至２６のいずれかに記載のウェアラブル除細動器。
〔付記２８〕
前記第１患者係合基板及び前記第２患者係合基板の外面が、防水である付記１９乃至２７のいずれかに記載のウェアラブル除細動器。
〔付記２９〕
前記第１及び第２患者係合基板の外面が、疎水性である付記１９乃至２８のいずれかに記載のウェアラブル除細動器。
〔付記３０〕
前記第１流体輸送要素及び前記第２流体輸送要素は、流体を皮膚から離して輸送するように構成される付記１乃至２９のいずれかに記載のウェアラブル除細動器。
〔付記３１〕
前記１つ以上のハウジング及び前記第１除細動器電極パッドの間に配置される支持シャーシを更に含む付記１乃至３０のいずれかに記載のウェアラブル除細動器。
〔付記３２〕
前記支持シャーシが、前記支持シャーシの主要面にわたる前記１つ以上のハウジングのせん断荷重を分散させるように構成される付記３１に記載のウェアラブル除細動器。
〔付記３３〕
患者の胸部上の一点で患者の血液の酸素含有量を測定するように構成されたパルスオキシメータを更に含む付記１乃至３２のいずれかに記載のウェアラブル除細動器。
〔付記３４〕
超音波信号を伝送し、且つ／又は受信するように構成された超音波トランシーバ又はトランスデューサを更に含む付記１乃至３３のいずれかに記載のウェアラブル除細動器。
〔付記３５〕
マイクロ波信号を伝送し、且つ返信されたマイクロ波信号を受信するように構成されたドップラーレーダを更に含む付記１乃至３４のいずれかに記載のウェアラブル除細動器。
〔付記３６〕
前記第１除細動器電極パッドが、第１電極対を含む付記１乃至３５のいずれかに記載のウェアラブル除細動器。
〔付記３７〕
前記コントローラが、前記第１電極対の間の第１インピーダンスを測定するように構成される付記３６に記載のウェアラブル除細動器。
〔付記３８〕
前記コントローラは、前記第１電極対が、患者の皮膚と適切に接触しているか否かを判定する為に前記第１インピーダンスを分析するように構成される付記３６又は３７に記載のウェアラブル除細動器。
〔付記３９〕
前記第２除細動器電極パッドが、第２電極対を含む付記１乃至３８のいずれかに記載のウェアラブル除細動器。
〔付記４０〕
前記コントローラが、前記第２電極対の間の第２インピーダンスを測定するように構成される付記３９に記載のウェアラブル除細動器。
〔付記４１〕
前記コントローラは、前記第２電極対が、患者の皮膚と適切に接触しているか否かを判定する為に前記第２インピーダンスを分析するように構成される付記４０に記載のウェアラブル除細動器。
〔付記４２〕
前記コントローラが、前記第１電極対及び前記第２電極対の間の経胸腔インピーダンスを測定するように構成される付記４１に記載のウェアラブル除細動器。
〔付記４３〕
前記ハウジング及び接着剤の間の相対運動を可能にするように構成された、前記ハウジング及び前記接着剤の間に配置されたスリップ層を更に含む付記１乃至４２のいずれかに記載のウェアラブル除細動器。
〔付記４４〕
前記エネルギー源、１つ以上のコンデンサ、及びコントローラを封入する第１シール層を更に含む付記１乃至４３のいずれかに記載のウェアラブル除細動器。
〔付記４５〕
前記第１シール層が、前記ハウジング内部にある付記４４に記載のウェアラブル除細動器。
〔付記４６〕
前記第１シール層が、前記ハウジングに接触する付記４５に記載のウェアラブル除細動器。
〔付記４７〕
前記ハウジングを含む第２シール層を更に含む付記４４乃至４６のいずれかに記載のウェアラブル除細動器。
〔付記４８〕
複数の電気接続を有する、前記ハウジング上のコネクタプラグを更に含む付記１乃至４７のいずれかに記載のウェアラブル除細動器。
〔付記４９〕
前記複数の電気接続が、第１除細動器電極パッド接続及び第２除細動器電極パッド接続を含む付記４８に記載のウェアラブル除細動器。
〔付記５０〕
前記第１除細動器電極パッド接続及び前記第２除細動器電極パッド接続が、前記１つ以上のコンデンサ並びに前記第１及び第２除細動器電極パッドと電気的に連通するように構成される付記４９に記載のウェアラブル除細動器。
〔付記５１〕
複数の電気接続が、複数の検知電極接続を含む付記４８乃至５０のいずれかに記載のウェアラブル除細動器。
〔付記５２〕
前記複数の検知電極接続は、各々が前記コントローラ及び前記１つ以上の検知電極の１つと電気的に連通するように構成される付記５１に記載のウェアラブル除細動器。
〔付記５３〕
前記ハウジングを取り囲むように構成されたエンクロージャを更に含み、前記エンクロージャが、前記ハウジング上の前記コネクタプラグと係合するように構成された相補的構造を有する第１側面を有するエンクロージャ接続を含む付記４８乃至５２のいずれかに記載のウェアラブル除細動器。
〔付記５４〕
前記第１患者係合基板上の患者係合基板コネクタ、前記１つ以上のコンデンサと電気的に連通する前記患者係合基板コネクタ、並びに前記第１及び第２除細動器電極パッドと係合するように構成されたエンクロージャ接続の第２側面を更に含む付記５３に記載のウェアラブル除細動器。
〔付記５５〕
前記接着剤が、水蒸気の輸送を可能にするように構成された複数の孔を含む付記１乃至５４のいずれかに記載のウェアラブル除細動器。
〔付記５６〕
前記１つ以上の検知電極及び前記除細動器電極パッドは、水蒸気の輸送を可能にするように構成された複数の孔を含む付記１乃至５５のいずれかに記載のウェアラブル除細動器。
〔付記５７〕
前記第１除細動器電極パッド前記第２除細動器電極パッドは、導電性インクコーティングを有するポリエチレンテレフタレート（ＰＥＴ）基板を含む付記１乃至５６のいずれかに記載のウェアラブル除細動器。
〔付記５８〕
前記第１除細動器電極パッドが、第１導電性接着剤と、第１導電性電極とを含む付記１乃至５７のいずれかに記載のウェアラブル除細動器。
〔付記５９〕
前記第２除細動器電極パッドが、第２導電性接着剤と、第２導電性電極とを含む付記１乃至５８のいずれかに記載のウェアラブル除細動器。
〔付記６０〕
前記第１及び第２導電性電極が、中実構成を有する付記５８又は５９に記載のウェアラブル除細動器。
〔付記６１〕
前記第１及び第２導電性電極が、複数の穿孔を有する可撓性シートから作られる付記５８又は５９に記載のウェアラブル除細動器。
〔付記６２〕
前記第１及び第２導電性電極が、炭素ビニルフィルム、Ａｇ／ＡｇＣｌ被覆炭素ビニルフィルム、又はＡｇ被覆炭素ビニルフィルムを含む付記５８乃至６１のいずれかに記載のウェアラブル除細動器。
〔付記６３〕
前記第１及び第２除細動器電極パッドの前記第１及び第２導電性電極が、織物構造を有する付記５８又は５９に記載のウェアラブル除細動器。
〔付記６４〕
前記第１及び第２除細動器電極パッドの前記第１及び第２導電性電極が、炭素繊維を含む付記５８、５９及び６３のいずれかに記載のウェアラブル除細動器。
〔付記６５〕
前記第１導電性接着剤及び前記第２導電性接着剤が、導電性ヒドロゲルを含む付記５８又は５９に記載のウェアラブル除細動器。
〔付記６６〕
前記導電性ヒドロゲルが、塩を含む付記６５に記載のウェアラブル除細動器。
〔付記６７〕
前記第１導電性接着剤及び前記第２導電性接着剤が、導電性充填剤を有する接着剤を含む付記５８乃至６６のいずれかに記載のウェアラブル除細動器。
〔付記６８〕
前記導電性充填材が、カーボンナノチューブ、グラフェン、カーボンブラック、銀粒子、金属粒子、及び銀ナノワイヤの１つ以上を含む付記６７に記載のウェアラブル除細動器。
〔付記６９〕
前記第１患者係合基板が、前記１つ以上の検知電極及び前記第１除細動器電極パッドの間を絶縁するように構成される付記２乃至６８のいずれかに記載のウェアラブル除細動器。
〔付記７０〕
前記第２患者係合基板が、前記検知電極及び前記第２除細動器電極パッドの間を絶縁するように構成される付記４乃至６９のいずれかに記載のウェアラブル除細動器。
〔付記７１〕
前記第１及び第２患者係合基板上の前記接着剤が、非導電性である付記６９又は７０に記載のウェアラブル除細動器。
〔付記７２〕
前記ウェアラブル除細動器の位置及び配向を判定するように構成された傾斜計を更に含む付記１乃至７１のいずれかに記載のウェアラブル除細動器。
〔付記７３〕
前記ウェアラブル除細動器の場所を伝送するように構成された無線標識を更に含む付記１乃至７２のいずれかに記載のウェアラブル除細動器。
〔付記７４〕
ＧＰＳセンサを更に含む付記１乃至７３のいずれかに記載のウェアラブル除細動器。
〔付記７５〕
前記ウェアラブル除細動器からのデータを無線伝送するように構成された無線通信機を更に含む付記１乃至７４のいずれかに記載のウェアラブル除細動器。
〔付記７６〕
前記無線通信機が、セルラネットワークを介してデータを伝送するように構成される付記７５に記載のウェアラブル除細動器。
〔付記７７〕
前記ウェアラブル除細動器の一部の機械的伸張を測定するように構成されたセンサを更に含む付記１乃至７６のいずれかに記載のウェアラブル除細動器。
〔付記７８〕
前記１つ以上のコンデンサが、前記ウェアラブル除細動器と可逆的且つ取り外し可能に係合されるように構成される付記１乃至７７のいずれかに記載のウェアラブル除細動器。
〔付記７９〕
前記エネルギー源が、前記ウェアラブル除細動器と可逆的且つ取り外し可能に係合されるように構成される付記１乃至７８のいずれかに記載のウェアラブル除細動器。
〔付記８０〕
前記コントローラが、前記ウェアラブル除細動器と可逆的且つ取り外し可能に係合されるように構成される付記１乃至７９のいずれかに記載のウェアラブル除細動器。
〔付記８１〕
前記第１患者係合基板上の接着剤を覆うように構成された第１接着剤剥離ライナを更に含む付記１乃至８０のいずれかに記載のウェアラブル除細動器。
〔付記８２〕
前記第２患者係合基板上の接着剤を覆うように構成された第２接着剤剥離ライナを更に含む付記１乃至８１のいずれかに記載のウェアラブル除細動器。
〔付記８３〕
前記ハウジングが、複数のエネルギー源を受けるように構成される付記１乃至８２のいずれかに記載のウェアラブル除細動器。
〔付記８４〕
前記エネルギー源が、第１モジュール電池と、第２モジュール電池とを含み、前記第１及び第２モジュール電池が、前記ハウジング内部に取り外し可能に受けられるように構成される付記８３に記載のウェアラブル除細動器。
〔付記８５〕
ペーシング信号を患者に提供するように構成された外部ペーシングモジュールを更に含み、前記外部ペーシングモジュールが、前記第１又は第２患者係合基板によって支持される付記１乃至８４のいずれかに記載のウェアラブル除細動器。
〔付記８６〕
患者の皮膚からの前記第１及び／又は第２患者係合基板の取り外しを検知するように構成された皮膚接触モジュールを更に含む付記１乃至８５のいずれかに記載のウェアラブル除細動器。
〔付記８７〕
前記皮膚接触モジュールが、患者の皮膚からの前記第１及び／又は第２患者係合基板の取り外しを検知すると、医療サービス提供者に警報及び／又は通知を生成するように構成される付記８６に記載のウェアラブル除細動器。
〔付記８８〕
前記ハウジング及び前記第１患者係合基板に結合されたカンチレバを更に含む付記１乃至８７のいずれかに記載のウェアラブル除細動器。
〔付記８９〕
前記ハウジングが、前記エネルギー源と、１つ以上のコンデンサと、コントローラとを含む複数の区画を含む付記１乃至８８のいずれかに記載のウェアラブル除細動器。
〔付記９０〕
前記ハウジング内部にフレキシブル回路と、１つ以上のリジッドプリント回路基板（ＰＣＢ）とを更に含む付記８９に記載のウェアラブル除細動器。
〔付記９１〕
前記複数の区画が、前記ハウジング内部で流体連通する付記８９又は９０に記載のウェアラブル除細動器。
〔付記９２〕
前記複数の区画が、前記複数の区画の他の区画と流体連通しない付記８９乃至９１のいずれかに記載のウェアラブル除細動器。
〔付記９３〕
前記複数の区画が、分離しており、且つ前記複数の区画の他の区画と可逆的に係合するように構成される付記８９乃至９２のいずれかに記載のウェアラブル除細動器。
〔付記９４〕
前記複数の区画が、複数の防水コネクタセグメントに接続される付記８９乃至９３のいずれかに記載のウェアラブル除細動器。
〔付記９５〕
前記ハウジングが、前記ハウジングの複数の区画間の相対運動を可能にするように構成される付記８９乃至９４のいずれかに記載のウェアラブル除細動器。
〔付記９６〕
前記相対運動が、前記第１患者係合基板の平面による屈曲を含む付記９５に記載のウェアラブル除細動器。
〔付記９７〕
前記ハウジングが、外部クラムシェルと、基部とを含む付記８９乃至９６のいずれかに記載のウェアラブル除細動器。
〔付記９８〕
前記外部クラムシェルが、前記基部に超音波溶接される付記９７に記載のウェアラブル除細動器。
〔付記９９〕
前記外部クラムシェルが、接着剤によって前記基部に取り付けられる付記９７に記載のウェアラブル除細動器。
〔付記１００〕
前記外部クラムシェルが、化学結合を通じて前記基部に取り付けられる付記９７に記載のウェアラブル除細動器。
〔付記１０１〕
前記第１患者係合基板の前記１つ以上の検知電極及び前記第２患者係合基板の前記検知電極並びに前記第１及び第２除細動器電極パッドが、患者の複数のベクトルに沿ったインピーダンス変化を検知するように構成され、前記コントローラが、患者の心臓の健康を測定する為に、患者の前記複数のベクトルに沿った前記インピーダンス変化を分析するように構成される付記４乃至１００のいずれかに記載のウェアラブル除細動器。
〔付記１０２〕
前記第１患者係合基板が、前記１つ以上の検知電極と、前記接着剤と、第１除細動器電極パッドとを含む患者係合部を含む付記２乃至１０１のいずれかに記載のウェアラブル除細動器。
〔付記１０３〕
前記第１患者係合基板が、前記患者係合部及び前記第１蒸気透過層を通して、前記患者係合部の表面積に基づき、１日当たり約１００ｇ／ｍ２を超える水蒸気輸送を含む付記１０２に記載のウェアラブル除細動器。
〔付記１０４〕
前記第１患者係合基板が、前記患者係合部及び前記第１蒸気透過層を通して、前記患者係合部の表面積に基づき、１日当たり約５００ｇ／ｍ２を超える水蒸気輸送を含む付記１０２に記載のウェアラブル除細動器。
〔付記１０５〕
前記第１患者係合基板が、前記患者係合部及び前記第１蒸気透過層を通して、前記患者係合部の表面積に基づき、１日当たり約１０００ｇ／ｍ２を超える水蒸気輸送を含む付記１０２に記載のウェアラブル除細動器。
〔付記１０６〕
前記第１患者係合基板が、前記患者係合部及び前記第１蒸気透過層を通して、前記患者係合部の表面積に基づき、１日当たり約１５００ｇ／ｍ２を超える水蒸気輸送を含む付記１０２に記載のウェアラブル除細動器。
〔付記１０７〕
前記第２患者係合基板が、前記検知電極と、前記第２接着剤と、第２除細動器電極パッドとを含む第２患者係合部を含む付記１乃至１０６のいずれかに記載のウェアラブル除細動器。
〔付記１０８〕
前記第１患者係合基板が、前記第２患者係合部及び前記第２蒸気透過層を通して、前記患者係合部の表面積に基づき、１日当たり約１００ｇ／ｍ２を超える水蒸気輸送を含む付記１０７に記載のウェアラブル除細動器。
〔付記１０９〕
前記第１患者係合基板が、前記第２患者係合部及び前記第２蒸気透過層を通して、前記患者係合部の表面積に基づき、１日当たり約５００ｇ／ｍ２を超える水蒸気輸送を含む付記１０７に記載のウェアラブル除細動器。
〔付記１１０〕
前記第１患者係合基板が、前記第２患者係合部及び前記第２蒸気透過層を通して、前記患者係合部の表面積に基づき、１日当たり約１０００ｇ／ｍ２を超える水蒸気輸送を含む付記１０７に記載のウェアラブル除細動器。
〔付記１１１〕
前記第１患者係合基板が、前記第２患者係合部及び前記第２蒸気透過層を通して、前記患者係合部の表面積に基づき、１日当たり約１５００ｇ／ｍ２を超える水蒸気輸送を含む付記１０７に記載のウェアラブル除細動器。
〔付記１１２〕
前記第１患者係合基板が、予め形成された湾曲を有する付記１乃至１１１のいずれかに記載のウェアラブル除細動器。
〔付記１１３〕
前記予め形成された湾曲が、人間の胴体の形状に対応する付記１１２に記載のウェアラブル除細動器。
〔付記１１４〕
前記第２患者係合基板が、予め形成された湾曲を有する付記１乃至１１３のいずれかに記載のウェアラブル除細動器。
〔付記１１５〕
前記予め形成された湾曲が、人間の胸部の形状に対応する付記１１４に記載のウェアラブル除細動器。
〔付記１１６〕
前記第１患者係合基板及び前記第２患者係合基板の間に電気的連通を形成するケーブルを更に含む付記１乃至１１５のいずれかに記載のウェアラブル除細動器。
〔付記１１７〕
前記ケーブルが、前記第２患者係合基板の前記検知電極及び前記コントローラの間に電気的連通を形成する付記１１６に記載のウェアラブル除細動器。
〔付記１１８〕
前記ケーブルが、前記第２除細動器電極パッド及び前記１つ以上のコンデンサの間に電気的連通を形成する付記１１６又は１１７に記載のウェアラブル除細動器。
〔付記１１９〕
表示インジケータを更に含む付記１乃至１１８のいずれかに記載のウェアラブル除細動器。
〔付記１２０〕
前記表示インジケータが、前記第１患者係合基板又は第２患者係合基板の一部である付記１１９に記載のウェアラブル除細動器。
〔付記１２１〕
前記表示インジケータが、前記１つ以上のハウジングの一部である付記１１９に記載のウェアラブル除細動器。
〔付記１２２〕
前記表示インジケータが、前記第１患者係合基板又は第２患者係合基板の間のケーブルの一部である付記１１９に記載のウェアラブル除細動器。
〔付記１２３〕
前記表示インジケータが、発光ダイオード（ＬＥＤ）である付記１１９乃至１２２のいずれかに記載のウェアラブル除細動器。
〔付記１２４〕
触覚フィードバックモジュールを更に含む付記１乃至１２３のいずれかに記載のウェアラブル除細動器。
〔付記１２５〕
前記触覚フィードバックモジュールが、前記第１患者係合基板又は第２患者係合基板の一部である付記１２４に記載のウェアラブル除細動器。
〔付記１２６〕
前記触覚フィードバックモジュールが、前記１つ以上のハウジングの一部である付記１２４に記載のウェアラブル除細動器。
〔付記１２７〕
前記触覚フィードバックモジュールが、振動モータである付記１２４乃至１２６のいずれかに記載のウェアラブル除細動器。
〔付記１２８〕
前記１つ以上のハウジング上に１つ以上のボタンを更に含む付記１乃至１２７のいずれかに記載のウェアラブル除細動器。
〔付記１２９〕
前記ハウジング及び前記第１患者係合基板の間の第１接続と、前記ハウジング及び前記第１患者係合基板の間の第２可撓性接続とを更に含み、前記第１接続が、前記第１患者係合基板の第１端部上にあり、且つ前記第２可撓性接続が、前記第１患者係合基板の前記第１端部に対向する前記第１患者係合基板の第２端部上にある付記１乃至１２８のいずれかに記載のウェアラブル除細動器。
〔付記１３０〕
前記第２可撓性接続が、前記第１患者係合基板の前記第２端部及び前記ハウジングの間の相対運動を可能にする付記１２９に記載のウェアラブル除細動器。
〔付記１３１〕
前記第１患者係合基板上の前記１つ以上の検知電極を覆うように構成された第１検知電極剥離ライナと、前記第１除細動器電極パッドを覆うように構成された第１除細動器電極パッド剥離ライナとを更に含む付記２乃至１３０のいずれかに記載のウェアラブル除細動器。
〔付記１３２〕
前記第２患者係合基板上の前記１つ以上の検知電極を覆うように構成された第２検知電極剥離ライナと、前記第２除細動器電極パッドを覆うように構成された第２除細動器電極パッド剥離ライナとを更に含む付記４乃至１３１のいずれかに記載のウェアラブル除細動器。
〔付記１３３〕
前記ハウジングが、２つ以上の患者係合基板によって支持される付記１乃至１３２のいずれかに記載のウェアラブル除細動器。
〔付記１３４〕
電気活性ポリマーを更に含む付記１乃至１３３のいずれかに記載のウェアラブル除細動器。
〔付記１３５〕
前記電気活性ポリマーが、前記第１患者係合基板及び／又は第２患者係合基板の形態の変化を検出するように構成される付記１３４に記載のウェアラブル除細動器。
〔付記１３６〕
前記電気活性ポリマーが、振動するように構成される付記１３４に記載のウェアラブル除細動器。
〔付記１３７〕
前記電気活性ポリマーが、変形して、前記第１及び／又は第２患者係合基板の形態を変化させるように構成される付記１３４に記載のウェアラブル除細動器。
〔付記１３８〕
前記ハウジング及び前記ハウジング内部の部品の重量を支持するように構成された、前記第１患者係合基板及び前記ハウジングの間の可撓性接続を更に含む付記１乃至１３７のいずれかに記載のウェアラブル除細動器。
〔付記１３９〕
前記可撓性接続が、前記ハウジング及び前記第１患者係合基板の間の相対運動を可能にする付記１３８に記載のウェアラブル除細動器。
〔付記１４０〕
前記可撓性接続が、前記ハウジング及び第１前記患者係合基板の間の１つ以上の電気接続を更に含む付記１３８に記載のウェアラブル除細動器。
〔付記１４１〕
前記可撓性接続が、取り外し可能で、且つ可逆的な接続を含む付記１３８乃至１４０のいずれかに記載のウェアラブル除細動器。
〔付記１４２〕
前記１つ以上のハウジングは、各々が接着剤によって密封されるクラムシェル形態を有する付記１乃至１４１のいずれかに記載のウェアラブル除細動器。
〔付記１４３〕
前記１つ以上のハウジングは、各々が超音波溶接によって密封されるクラムシェル形態を有する付記１乃至１４２のいずれかに記載のウェアラブル除細動器。
〔付記１４４〕
前記１つ以上のハウジングは、各々が化学結合を通して密封されるクラムシェル形態を有する付記１乃至１４３のいずれかに記載のウェアラブル除細動器。
〔付記１４５〕
前記コントローラが、前記１つ以上の検知電極、前記第１除細動器電極パッド、前記第２除細動器電極パッド、及び前記検知電極の１つ以上の間のインピーダンスを分析するように構成される付記１乃至１４４のいずれかに記載のウェアラブル除細動器。
〔付記１４６〕
前記コントローラが、２つ以上の離散周波数を使用して、前記インピーダンスを測定するように更に構成される付記１４５に記載のウェアラブル除細動器。
〔付記１４７〕
前記２つ以上の離散周波数が、高周波測定と、低周波測定とを含む付記１４６に記載のウェアラブル除細動器。
〔付記１４８〕
前記コントローラが更に、前記高周波測定と、前記低周波測定とを分析し、前記インピーダンスに基づき患者の治療ショックの力を判定するように構成される付記１４７に記載のウェアラブル除細動器。
〔付記１４９〕
温度センサを更に含む付記１乃至１４８のいずれかに記載のウェアラブル除細動器。
〔付記１５０〕
患者の心臓を監視及び除細動を行う方法であって、
第１の複数の検知電極と、第１除細動器電極パッドとを含む第１患者係合基板を、患者の第１皮膚表面部に接着し、前記第１除細動器電極パッドが、除細動ショックを提供する為に十分な電気エネルギー源と電気的に連通し、ウェアラブル除細動器の前記第１患者係合基板部分が、流体を患者の第１皮膚表面部から離して輸送し、ウェアラブル体外式除細動器が継続的に着用されることを可能にするように構成された流体輸送要素を含むこと；
検知電極と、第２除細動器電極パッドとを含む第２患者係合基板を患者の第２皮膚表面部に接着し、前記第２除細動器電極パッドが、除細動ショックを提供する為に十分な電気エネルギー源と電気的に連通し、前記ウェアラブル除細動器の前記第２患者係合基板部分、前記ウェアラブル除細動器が、患者の脈拍、血液の酸素含有量、インピーダンス、ガルバニック皮膚インピーダンス、体温、呼吸数、心音及び心拍数の１つ以上を検出するように構成される１つ以上のセンサを含むこと；
前記第１の複数の検知電極、前記第２患者係合基板の前記検知電極、及び／又は前記ウェアラブル除細動器の前記センサにより、患者の心臓信号又は他の特性に対応する患者データを測定すること；及び
前記患者データを分析して、患者が不整脈を有するか否かを判定することを含む方法。
〔付記１５１〕
不整脈の検出時に、ウェアラブル除細動器上の１つ以上のセンサを使用して患者の脈拍、血液の酸素含有量、インピーダンス、ガルバニック皮膚インピーダンス、体温、呼吸数、心音及び心拍数の１つ以上を検出すること；及び
患者の脈拍、血液の酸素含有量、呼吸数、心音及び心拍数の前記検出された１つ以上を分析して、不整脈の有無を確認することを更に含む付記１５０に記載の方法。
〔付記１５２〕
前記第１患者係合基板の前記１つ以上の検知電極及び前記第２患者係合基板の前記検知電極並びに前記第１及び第２除細動器電極パッドによって、患者の複数のベクトルに沿ったインピーダンス変化を検知することを更に含む付記１５０又は１５１に記載の方法。
〔付記１５３〕
前記インピーダンス変化を患者の基準値及び／又はデータベースと比較し、患者の心臓の健康を測定することを更に含む付記１５０乃至１５２のいずれかに記載の方法。
〔付記１５４〕
前記第１の複数の検知電極及び前記第２患者係合基板の前記検知電極によって患者の心臓信号に対応する電気データを測定することを更に含む付記１５０乃至１５３のいずれかに記載の方法。
〔付記１５５〕
前記ウェアラブル除細動器上のマイクロフォンによって、患者の呼吸数、心音及び心拍数の１つ以上を検出することを更に含む付記１５０乃至１５４のいずれかに記載の方法。
〔付記１５６〕
不整脈の検出時に、前記ウェアラブル除細動器と一体化された加速度計によって患者の動きを記録すること；及び前記記録された患者の動きを分析して、不整脈の有無を確認することを更に含む付記１５０乃至１５５のいずれかに記載の方法。
〔付記１５７〕
前記ウェアラブル除細動器上のパルスオキシメータによって血液の酸素含有量を検出することを更に含む付記１５０乃至１５６のいずれかに記載の方法。
〔付記１５８〕
前記ウェアラブル除細動器上のパルスオキシメータによって血液の酸素含有量を検出することが、患者の胸部上の一点で患者の血液の酸素含有量を測定することを含む付記１５７に記載の方法。
〔付記１５９〕
前記第１除細動器電極パッド及び前記第２除細動器電極パッドの間の経胸腔インピーダンスを測定することを更に含む付記１５０乃至１５８のいずれかに記載の方法。
〔付記１６０〕
前記第１除細動器電極パッドが、２つの別個の電極を含み、前記第１除細動器電極パッドの前記２つの別個の電極間のインピーダンスを測定することを更に含む付記１５０乃至１５９のいずれかに記載の方法。
〔付記１６１〕
前記第１除細動器電極パッドの前記２つの別個の電極間の前記インピーダンスを分析して、前記第１除細動器電極パッドの前記２つの別個の電極が、電気ショックを送達する為に、皮膚と十分に電気的に接触しているか否かを判定することを更に含む付記１６０に記載の方法。
〔付記１６２〕
前記第２除細動器電極パッドが、２つの別個の電極を含み、前記第２除細動器電極パッドの前記２つの別個の電極間のインピーダンスを測定することを更に含む付記１５０乃至１６１のいずれかに記載の方法。
〔付記１６３〕
前記第２除細動器電極パッドの前記２つの別個の電極間の前記インピーダンスを分析して、前記第２除細動器電極パッドの前記２つの別個の電極が、電気ショックを送達する為に、皮膚と十分に電気的に接触しているか否かを判定することを更に含む付記１６２に記載の方法。
〔付記１６４〕
患者が不整脈を有すると判定した後に電気ショックを送達することを更に含む付記１５０乃至１６３のいずれかに記載の方法。
〔付記１６５〕
徐脈、心房細動、収縮不全、心臓ブロック、休止、心室頻脈、心室細動、異常を伴う頻脈、又は上室性頻脈（ＳＶＴ）に関する患者の心臓信号に対応する前記測定された電気データを分析することを更に含む付記１５０乃至１６４のいずれかに記載の方法。
〔付記１６６〕
前記ウェアラブル除細動器を約２４時間より長く継続的に着用することを更に含む付記１５０乃至１６５のいずれかに記載の方法。
〔付記１６７〕
前記ウェアラブル除細動器を約５日間より長く継続的に着用することを更に含む付記１５０乃至１６６のいずれかに記載の方法。
〔付記１６８〕
前記ウェアラブル除細動器を約７日間より長く継続的に着用することを更に含む付記１５５乃至１６７のいずれかに記載の方法。
〔付記１６９〕
前記ウェアラブル除細動器を約１０日間より長く継続的に着用することを更に含む付記１５０乃至１６８のいずれかに記載の方法。
〔付記１７０〕
前記ウェアラブル除細動器を約１４日間より長く継続的に着用することを更に含む付記１５０乃至１６９のいずれかに記載の方法。
〔付記１７１〕
ウェアラブル除細動器を修復する方法であって、
エネルギー源と、コントローラと、ウェアラブル除細動器が患者によって着用された間に収集された患者データセットを含むメモリとを含むウェアラブル除細動器を受けること；
前記患者データセットを前記メモリから前記ウェアラブル除細動器の外部のコンピュータネットワーク又はシステムにコピーすること；
前記患者データセットを前記ウェアラブル除細動器の前記メモリから消去すること；
前記ウェアラブル除細動器の前記エネルギー源を再充電又は取り替えること；及び
前記患者データセットを消去し、且つ前記エネルギー源を再充電又は取り替えた後に前記ウェアラブル除細動器に関して診断テストを実行することを含む方法。
〔付記１７２〕
前記ウェアラブル除細動器が、付記１乃至１４９に記載のウェアラブル除細動器のいずれかである付記１７１に記載の方法。
〔付記１７３〕
前記ウェアラブル除細動器が、
心臓信号を検出する為に患者の皮膚と係合するように構成された１つ以上の検知電極と；
患者の皮膚と係合し、且つ電気治療を患者に送達するように構成された除細動器電極パッドと；
接着剤と、前記１つ以上の検知電極と、前記除細動器電極パッドとを含む患者係合基板と；
エネルギー源及び前記除細動器電極パッドと電気的に連通する１つ以上のコンデンサとを更に含み、前記コントローラが、前記検知電極によって前記心臓信号を検出し、且つ前記１つ以上のコンデンサを前記エネルギー源で充電し、その後に前記１つ以上のコンデンサを放電して、前記患者係合基板が患者と係合される間に、治療ショックを前記除細動器電極パッドを通して患者に送達するように構成される付記１７１に記載の方法。
〔付記１７４〕
前記ウェアラブル除細動器が、前記１つ以上のコンデンサと、エネルギー源と、コントローラとを含む１つ以上のモジュールを含む付記１７３に記載の方法。
〔付記１７５〕
前記ウェアラブル除細動器が、前記エネルギー源を含むモジュールを含み、且つ前記エネルギー源を取り替えることが、前記エネルギー源を含む前記モジュールを取り替えることを含む付記１７４に記載の方法。
〔付記１７６〕
前記診断テストが、前記１つ以上のコンデンサ、メモリ、エネルギー源、及びコントローラをテストすることを含む付記１７１乃至１７５のいずれかに記載の方法。
〔付記１７７〕
前記ウェアラブル除細動器が、前記コントローラ、メモリ、コンデンサ、及びエネルギー源の１つ以上を含む１つ以上のハウジングを更に含む付記１７１乃至１７６のいずれかに記載の方法。
〔付記１７８〕
前記コントローラ及びメモリが、第１コントローラハウジング内に含まれ、前記エネルギー源が、第１エネルギー源ハウジング内に含まれ、且つ前記コンデンサが、第１コンデンサハウジング及び第２コンデンサハウジング内に含まれる付記１７７に記載の方法。
〔付記１７９〕
前記第１コントローラハウジングから前記コントローラ及びメモリを取り外すことを更に含む付記１７８に記載の方法。
〔付記１８０〕
前記第１エネルギー源ハウジングから前記エネルギー源を取り外すことを更に含む付記１７８又は１７９に記載の方法。
〔付記１８１〕
前記第１コンデンサハウジング及び前記第２コンデンサハウジングから前記１つ以上のコンデンサを取り外すことを更に含む付記１７８乃至１８０のいずれかに記載の方法。
〔付記１８２〕
前記診断テストが、前記１つ以上のハウジングからの取り外し後に前記１つ以上のコンデンサ、メモリ、エネルギー源、及びコントローラをテストすることを含む付記１７７乃至１８１のいずれかに記載の方法。
〔付記１８３〕
データ転送ケーブルを、前記メモリと電気的に連通するコネクタと係合させることを更に含む付記１７１乃至１８２のいずれかに記載の方法。
〔付記１８４〕
前記診断テストを実行した後、前記コントローラ及びメモリを第２コントローラハウジング内に設置することを更に含む付記１７１乃至１８３のいずれかに記載の方法。
〔付記１８５〕
前記診断テストを実行した後、前記１つ以上のコンデンサを新規の第１コンデンサハウジング及び新規の第２コンデンサハウジング内に設置することを更に含む付記１７１乃至１８４のいずれかに記載の方法。
〔付記１８６〕
前記診断テストを実行した後、前記エネルギー源を第２エネルギー源ハウジング内に設置することを更に含む付記１７１乃至１８５のいずれかに記載の方法。
〔付記１８７〕
前記第２コントローラハウジング、新規の第１コンデンサハウジング、新規の第２コンデンサハウジング、及び第２エネルギー源ハウジングを、患者係合基板と係合させて、修復されたウェアラブル除細動器を形成することを更に含む付記１８４乃至１８６のいずれかに記載の方法。
〔付記１８８〕
前記１つ以上のハウジングを密封して、水の浸入を防止することを更に含む付記１７７乃至１８７のいずれかに記載の方法。
〔付記１８９〕
前記ウェアラブル除細動器が、防水エンクロージャ内部で前記１つ以上のハウジングを支持するように構成される付記１７７乃至１８８のいずれかに記載の方法。
〔付記１９０〕
前記ウェアラブル除細動器を受けた後に前記ハウジングを前記防水エンクロージャから取り外すことを更に含む付記１８９に記載の方法。
〔付記１９１〕
データ転送ケーブルを、前記１つ以上のハウジングの外部接続と係合させることを更に含む付記１７１乃至１９０のいずれかに記載の方法。
〔付記１９２〕
コピーすることが、前記メモリ及び前記コンピュータネットワーク又はシステムの間の無線データ転送を含む付記１７１乃至１９１のいずれかに記載の方法。
〔付記１９３〕
コピーすることが、前記メモリ及び前記コンピュータネットワーク又はシステムの間で前記患者データセットを転送する有線データ接続を含む付記１７１乃至１９２のいずれかに記載の方法。
〔付記１９４〕
前記診断テストを実行した後、前記ハウジングを第２防水エンクロージャ内部に設置することを更に含む付記１７１乃至１９３のいずれかに記載の方法。
〔付記１９５〕
前記ハウジングを前記第２防水エンクロージャと、患者係合基板によって係合させ、修復されたウェアラブル除細動器を形成することを更に含む付記１９４に記載の方法。
〔付記１９６〕
前記修復されたウェアラブル除細動器が、
心臓信号を検出する為に患者の皮膚と係合するように構成された１つ以上の検知電極と；
患者の皮膚と係合し、且つ電気治療を患者に送達するように構成された除細動器電極パッドと；
接着剤と、前記１つ以上の検知電極と、前記除細動器電極パッドとを含む前記患者係合基板と；
前記エネルギー源及び前記除細動器電極パッドと電気的に連通する１つ以上のコンデンサとを含み、前記コントローラが、前記検知電極によって前記心臓信号を検出し、且つ前記１つ以上のコンデンサを前記エネルギー源で充電し、その後に前記１つ以上のコンデンサを放電して、前記患者係合基板が患者と係合される間に、治療ショックを前記除細動器電極パッドを通して患者に送達するように構成され、前記１つ以上のコンデンサ、エネルギー源、及びコントローラが、１つ以上のハウジング内部に封入される付記１８７乃至１９５のいずれかに記載の方法。
〔付記１９７〕
前記修復されたウェアラブル除細動器の前記１つ以上のハウジング及び前記１つ以上の検知電極及び除細動器電極パッドの間で１つ以上の電気接続を形成することを更に含む付記１９６に記載の方法。
〔付記１９８〕
前記修復されたウェアラブル除細動器を包装することを更に含む付記１８７乃至１９７のいずれかに記載の方法。
〔付記１９９〕
前記修復されたウェアラブル除細動器を第２患者に送ることを更に含む付記１９８に記載の方法。
〔付記２００〕
前記修復されたウェアラブル除細動器が第２患者によって着用された間に、収集された第２患者データセットを含む前記修復されたウェアラブル除細動器を受けることを更に含む付記１９９に記載の方法。
〔付記２０１〕
前記メモリから送信された前記第２患者データを、前記修復されたウェアラブル除細動器の外部のコンピュータネットワーク又はシステムにコピーすること；及び前記修復されたウェアラブル除細動器の前記メモリから前記患者データセットを消去することを更に含む付記２００に記載の方法。
〔付記２０２〕
前記修復されたウェアラブル除細動器内の前記１つ以上のハウジングを取り替え又は修復することを更に含む付記２０１に記載の方法。
〔付記２０３〕
５回以上、前記１つ以上のハウジングを取り替え又は修復すること、及び前記１つ以上のコンデンサを再使用することを更に含む付記１７１乃至２０２のいずれかに記載の方法。
〔付記２０４〕
１０回以上、前記１つ以上のハウジングを取り替え又は修復すること、及び前記１つ以上のコンデンサを再使用することを更に含む付記１７１乃至２０３のいずれかに記載の方法。
〔付記２０５〕
１５回以上、前記１つ以上のハウジングを取り替え又は修復すること、及び前記１つ以上のコンデンサを再使用することを更に含む付記１７１乃至２０４のいずれかに記載の方法。
〔付記２０６〕
２０回以上、前記１つ以上のハウジングを取り替え又は修復すること、及び前記１つ以上のコンデンサを再使用することを更に含む付記１７１乃至２０５のいずれかに記載の方法。
〔付記２０７〕
前記エネルギー源が、充電式電池を含む付記１７１乃至２０６のいずれかに記載の方法。
〔付記２０８〕
前記充電式電池を再充電することを更に含む付記２０７に記載の方法。
〔付記２０９〕
前記エネルギー源が、電池を含む付記１７１乃至２０６のいずれかに記載の方法。
〔付記２１０〕
前記電池を取り替えることを更に含む付記２０９に記載の方法。
〔付記２１１〕
前記患者データセットが、前記ウェアラブル除細動器を約２４時間より長く継続的に着用する患者からのデータを含む付記１７１乃至２１０のいずれかに記載の方法。
〔付記２１２〕
前記患者データセットが、前記ウェアラブル除細動器を約５日間より長く継続的に着用する患者からのデータを含む付記１７１乃至２１１のいずれかに記載の方法。
〔付記２１３〕
前記患者データセットが、前記ウェアラブル除細動器を約７日間より長く継続的に着用する患者からのデータを含む付記１７１乃至２１２のいずれかに記載の方法。
〔付記２１４〕
前記患者データセットが、前記ウェアラブル除細動器を約１０日間より長く継続的に着用する患者からのデータを含む付記１７１乃至２１３のいずれかに記載の方法。
〔付記２１５〕
前記患者データセットが、前記ウェアラブル除細動器を約１４日間より長く継続的に着用する患者からのデータを含む付記１７１乃至２１４のいずれかに記載の方法。
〔付記２１６〕
ウェアラブル除細動器を患者に設置する為の命令を提供する方法であって、
前記ウェアラブル除細動器の第１患者係合基板を患者の胴体上でどこに置くかに関する命令を提供し、前記第１患者係合基板が、１つ以上の検知電極と、接着剤と、第１除細動器電極パッドとを含み、前記命令が、前記１つ以上の検知電極及び第１除細動器電極パッドを患者の胸部上でどこに置くかを含むこと；
前記ウェアラブル除細動器の第２患者係合基板をどこに置くかに関する命令を提供し、前記第２患者係合基板が、検知電極と、接着剤と、第２除細動器電極パッドとを含み、前記命令が、前記１つ以上の検知電極及び第２除細動器電極パッドをどこに置くかを含むこと；
前記１つ以上の検知電極及び第１除細動器電極パッドの設置を含む患者の胴体上の第１患者係合基板の設置を検証すること；及び
前記検知電極及び第２除細動器電極パッドを含む患者の胸部上の第２患者係合基板の設置を検証することを含む方法。
〔付記２１７〕
前記命令が、患者に提供される付記２１６に記載の方法。
〔付記２１８〕
前記ウェアラブル除細動器を貼り付ける人が、患者である付記２１７に記載の方法。
〔付記２１９〕
前記命令が、前記ウェアラブル除細動器を患者に貼り付ける人に提供される付記２１６に記載の方法。
〔付記２２０〕
前記ウェアラブル除細動器を貼り付ける人が、医療サービス提供者である付記２１９に記載の方法。
〔付記２２１〕
前記ウェアラブル除細動器が、
前記患者係合基板上の前記１つ以上の検知電極を覆うように構成された第１検知電極剥離ライナと、前記第１除細動器電極パッドを覆うように構成された第１除細動器電極パッド剥離ライナと、前記第１患者係合基板上の接着剤を覆うように構成された第１接着剤剥離ライナと、
前記第２患者係合基板上の前記１つ以上の検知電極を覆うように構成された第２検知電極剥離ライナと、前記第２除細動器電極パッドを覆うように構成された第２除細動器電極パッド剥離ライナと、前記第２患者係合基板上の接着剤を覆うように構成された第２接着剤剥離ライナとを更に含む付記２１６乃至２２０のいずれかに記載の方法。
〔付記２２２〕
前記第１検知電極剥離ライナ、前記第１除細動器電極パッド剥離ライナ、及び前記第１接着剤剥離ライナを順次取り外す為の命令を提供することを更に含む付記２２１に記載の方法。
〔付記２２３〕
前記第２検知電極剥離ライナ、前記第２除細動器電極パッド剥離ライナ、及び前記第２接着剤剥離ライナを順次取り外す為の命令を提供することを更に含む付記２２１又は２２２に記載の方法。
〔付記２２４〕
前記ウェアラブル除細動器が、
前記患者係合基板の第１部分を覆うように構成された一次患者係合基板剥離ライナと；
前記患者係合基板の第２部分を覆うように構成された二次患者係合基板剥離ライナと；
前記第２患者係合基板の第１部分を覆うように構成された一次第２患者係合基板剥離ライナと；
前記第２患者係合基板の第２部分を覆うように構成された二次第２患者係合基板剥離ライナとを更に含む付記２１６乃至２２０のいずれかに記載の方法。
〔付記２２５〕
前記一次患者係合基板剥離ライナ、二次患者係合基板剥離ライナ、一次第２患者係合基板剥離ライナ、及び二次第２患者係合基板剥離ライナを順次取り外す為の命令を提供することを更に含む付記２２４に記載の方法。
〔付記２２６〕
体毛をそり落とし、クリップ留めし、トリミングし、化学的に取り外し、又は他の方法で脱毛し、且つ患者の皮膚を洗浄する為の命令を提供することを更に含む付記２１６乃至２２５のいずれかに記載の方法。
〔付記２２７〕
前記第１及び第２除細動器電極パッド間のインピーダンスを測定することを更に含む付記２１６乃至２２６のいずれかに記載の方法。
〔付記２２８〕
前記１つ以上の検知電極の複数間のインピーダンスを測定することを更に含む付記２１６乃至２２７のいずれかに記載の方法。
〔付記２２９〕
前記第１及び第２除細動器電極パッド間のインピーダンス、並びに前記１つ以上の検知電極の複数間のインピーダンスを分析し、前記第１患者係合基板及び第２患者係合基板の正確な設置を検証することを更に含む付記２２５乃至２２８のいずれかに記載の方法。
〔付記２３０〕
設置を検証することが、前記ウェアラブル除細動器と一体化された複数の小電力無線機の場所を判定することを含む付記２１６乃至２２９のいずれかに記載の方法。
〔付記２３１〕
ウェアラブル装置であって、
患者の皮膚と係合して、信号を検出するように構成された１つ以上の検知電極であって、患者の皮膚と継続的に電気的に連通するように構成された１つ以上の検知電極と；
接着剤と、１つ以上の検知電極と、前記ウェアラブル装置が継続的に着用されることを可能にする為に、流体を皮膚から離して輸送するように構成された流体輸送要素とを含む患者係合基板と；
前記患者係合基板によって支持される１つ以上の区画であって、エネルギー源、１つ以上のコンデンサ、及びコントローラの１つ以上を可逆的に受け、且つ支持するように構成された１つ以上の区画と；
エネルギー源、１つ以上のコンデンサ、及びコントローラの１つ以上と取り外し可能に、且つ可逆的に係合するように構成された電気コネクタであって、前記患者係合基板及び／又は前記１つ以上の区画によって支持される電気コネクタとを含むウェアラブル装置。
〔付記２３２〕
接着剤と、１つ以上の検知電極と、流体輸送要素とを含む第２患者係合基板を更に含む付記２３１に記載のウェアラブル装置。
〔付記２３３〕
前記接着剤が、蒸気の輸送を可能にするように構成された複数の孔を含む付記２３１又は２３２に記載のウェアラブル装置。
〔付記２３４〕
前記複数の孔が、液滴の輸送を最小限に抑えるように構成される付記２３３に記載のウェアラブル除細動器。
〔付記２３５〕
前記患者係合基板が、約２４時間より長く、運動及びシャワー活動中に継続的に着用されるように構成される付記２３１乃至２３４のいずれかに記載のウェアラブル装置。
〔付記２３６〕
前記患者係合基板が、約５日間より長く、運動及びシャワー活動中に継続的に着用されるように構成される付記２３１乃至２３５のいずれかに記載のウェアラブル装置。
〔付記２３７〕
前記患者係合基板が、約１０日間より長く、運動及びシャワー活動中に継続的に着用されるように構成される付記２３１乃至２３６のいずれかに記載のウェアラブル装置。
〔付記２３８〕
睡眠時無呼吸に関連した症状を検出する方法であって、
１つ以上の検知電極と、患者の呼吸数及びパターンを測定するように構成されたセンサとを含むウェアラブル装置によって患者の心拍数、呼吸数、及び呼吸パターンの１つ以上を測定し、前記ウェアラブル装置が、患者の皮膚の一部に接着で取り付けられること；及び
前記測定された心拍数、酸素飽和度、ＥＣＧリズム、ＥＣＧ形態、ＥＣＧ振幅、胸部の動き、呼吸数、及び呼吸パターンの１つ以上を分析して、患者の睡眠時無呼吸の症状又は徴候を検出することを含む方法。
〔付記２３９〕
患者における睡眠時無呼吸の症状又は徴候の検出時に、患者への刺激を生成し、且つ提供することを更に含む付記２３８に記載の方法。
〔付記２４０〕
刺激を提供することが、振動、電気ショック、視覚警告、又は聴覚警報を含む付記２３９に記載の方法。
〔付記２４１〕
患者の心臓の健康に関連した症状を検出する方法であって、
１つ以上の検知電極と、患者の心拍数、呼吸数及びパターン、患者の経胸腔インピーダンス、及び体内の血管のサイズ、血圧を測定するように構成された１つ以上のセンサとを含むウェアラブル装置によって、患者の心拍数、呼吸数、呼吸パターン、患者の胸部及び胸腔にわたり、且つ通過するインピーダンス、及び下大静脈のような患者の体内の血管のサイズ、血圧波形、肺音、患者の姿勢及び活動、並びに脈拍酸素化の１つ以上を測定し、前記ウェアラブル装置が、患者の皮膚の一部に接着で取り付けられること；及び
前記測定された心拍数、酸素飽和度、ＥＣＧリズム、ＥＣＧ形態、ＥＣＧ振幅、胸部の動き、呼吸数、呼吸パターン、経胸腔インピーダンス、異なる体位での血圧及び血圧波形、並びに体内の血管のサイズの１つ以上を分析して、患者における心疾患の症状又は徴候を検出することを含む方法。
〔付記２４２〕
患者における心不全の症状又は徴候の検出時に、患者への刺激を生成し、且つ提供することを更に含む付記２４１に記載の方法。
〔付記２４３〕
前記刺激が、電気ショック、振動、患者又は医師への視覚警告、又は聴覚警告の１つ以上である付記２４２に記載の方法。
〔付記２４４〕
患者における心不全の症状又は徴候の検出時に、後での分析の為に患者データをメモリに保存すること、又は分析の為に患者データをコンピュータに無線で伝送することを更に含む付記２４３に記載の方法。
〔付記２４５〕
前記測定されたパラメータの１つ以上を分析して、駆出率、チアノーゼ、脈拍の質、呼吸困難、起座呼吸、末梢浮腫又は肺水腫、右心不全、左心不全、夜間頻尿、及び心不整脈、脈拍交代、Ｓ３心音、Ｓ４心音、並びにＳ１及びＳ２心音の分裂の１つ以上に関する患者の導出パラメータを判定することを更に含む付記２４１に記載の方法。
〔付記２４６〕
前記導出パラメータは、肺水腫、駆出率、チアノーゼ、脈拍の質、呼吸困難、起座呼吸、又は夜間頻尿を含む付記２４５に記載の方法。
〔付記２４７〕
心疾患の症状又は徴候を検出する為に使用される測定が、心停止及び心筋梗塞を含む付記２４１に記載の方法。
〔付記２４８〕
心疾患の症状又は徴候を検出する為に使用される測定が、心不全、心筋症、心臓ブロック、心房及び心室性不整脈を含む付記２４１に記載の方法。
〔付記２４９〕
肺水腫が、胸腔の複数の異なる区域における流体状態の評価を可能にする種々のリード線からの胸部にわたる複数のベクトルを測定することによって胸部インピーダンスを使用して判定される付記２４６に記載の方法。
〔付記２５０〕
マイクロフォンによって測定された心音を分析して、ラ音又は水泡音、Ｓ３及びＳ４心音の存在、並びにＳ１及びＳ２心音の分裂のような病状の１つ以上の有無を判定することを更に含む付記２４１に記載の方法。
〔付記２５１〕
駆出率が、超音波及び局所的なインピーダンス変化を使用して判定され、駆出率の代用として経時的な血流の傾向情報を判定する付記２４５に記載の方法。
〔付記２５２〕
チアノーゼが、脈拍酸素化及びインピーダンス状態を使用して判定され、血液酸素化の変化を判定する付記２４５に記載の方法。
〔付記２５３〕
脈拍の質が、送達されるドップラー超音波を使用して判定され、且つ近接したインピーダンスセンサと共に、ウェアラブル装置によって測定され、脈波の形状の変化を判定し、脈拍交代を含む心機能の変化を示す付記２４５に記載の方法。
〔付記２５４〕
呼吸困難が、患者の姿勢を判定する加速度計、及び呼吸パターンを判定するインピーダンスによる脈拍酸素化の組み合わせを使用して判定され、患者の最近の活動を明らかにして、呼吸困難が休止しているか否かを判定することを含む付記２４５に記載の方法。
〔付記２５５〕
呼吸困難が、患者の姿勢を判定する加速度計、及び呼吸パターンを判定するインピーダンスによる脈拍酸素化の組み合わせを使用して判定され、患者の最近の活動を明らかにして、呼吸困難が休止しているか否かを判定することを含む付記２４５に記載の方法。
〔付記２５６〕
起座呼吸は、血圧を判定する超音波を、患者の姿勢が起座効果（ｏｒｔｈｏｓｔａｓｉｓ）の推定を出せることを判定する加速度計と共に使用して判定される付記２４５に記載の方法。
〔付記２５７〕
夜間頻尿が、夜間頻尿の代用として患者が睡眠中に起きる回数を使用して判定される
付記２４５に記載の方法。
〔付記２５８〕
ウェアラブル装置であって、
接着剤と、１つ以上のセンサと、前記ウェアラブル装置が継続的に着用されることを可能にする為に、流体を皮膚から離して輸送するように構成された第１流体輸送要素と、第１蒸気透過層とを含み、前記１つ以上のセンサが、患者の脈拍、心臓信号、血液の酸素含有量、インピーダンス、ガルバニック皮膚インピーダンス、体温、呼吸数、心音及び心拍数の１つ以上を検出するように構成された患者係合基板と；
前記１つ以上のセンサによって収集されたデータを受信し、且つ前記データを分析して、患者が睡眠時無呼吸に関連した症状を示すか否かを判定するように構成されたコントローラとを含むウェアラブル装置。
〔付記２５９〕
睡眠時無呼吸に関連した症状の検出時に、患者に刺激を提供するように更に構成される付記２５８に記載のウェアラブル装置。
〔付記２６０〕
前記刺激が、振動、電気ショック、視覚警告、電子的通知、又は聴覚警報を含む付記２５９に記載のウェアラブル装置。
〔付記２６１〕
前記コントローラが、前記１つ以上のセンサによって収集されたデータにアルゴリズムを適用するように構成される付記２５８乃至２６０のいずれかに記載のウェアラブル装置。
〔付記２６２〕
前記アルゴリズムが、前記装置を着用する特定の患者に適応する付記２６１に記載のウェアラブル装置。
〔付記２６３〕
ウェアラブル装置であって、
接着剤と、１つ以上のセンサと、前記ウェアラブル装置が継続的に着用されることを可能にする為に、流体を皮膚から離して輸送するように構成された第１流体輸送要素と、第１蒸気透過層とを含み、前記１つ以上のセンサが、患者の脈拍、心臓信号、血液の酸素含有量、インピーダンス、ガルバニック皮膚インピーダンス、体温、呼吸数、心音及び心拍数の１つ以上を検出するように構成された患者係合基板と；
前記１つ以上のセンサによって収集されたデータを受信し、且つ前記データを分析して、患者が心不全に関連した症状を示すか否かを判定するように構成されたコントローラとを含むウェアラブル装置。
〔付記２６４〕
心不全に関連した症状の検出時に、患者に刺激を提供するように更に構成される付記２６３に記載のウェアラブル装置。
〔付記２６５〕
前記刺激が、振動、電気ショック、視覚警告、電子的通知、又は聴覚警報を含む付記２６４に記載のウェアラブル装置。
〔付記２６６〕
前記コントローラが、前記１つ以上のセンサによって収集されたデータにアルゴリズムを適用するように構成される付記２６３乃至２６５のいずれかに記載のウェアラブル装置。
〔付記２６７〕
前記アルゴリズムが、装置を着用する特定の患者に適応する付記２６６に記載のウェアラブル装置。
〔付記２６８〕
前記１つ以上のセンサが、加速度計、ＥＣＧ検知電極、パルスオキシメータ、マイクロフォン、磁力計、インピーダンスセンサ、及びガルバニック皮膚インピーダンスセンサの１つ以上を含む付記２６３乃至２６７のいずれかに記載のウェアラブル装置。
〔付記２６９〕
前記コントローラが、付記２４１乃至２５７に記載の方法のいずれかを実行するように更に構成される付記２６３乃至２６８のいずれかに記載のウェアラブル装置。
〔付記２７０〕
付記１乃至１４９に記載のウェアラブル除細動器のいずれかと；
第１相補面と、第２相補面とを含み、前記第１相補面が前記第１患者係合基板の前記１つ以上のハウジングの相補面と係合するように構成され、且つ前記第２相補面が前記第２患者係合基板の相補面と係合するように構成される取付具とを含むシステム。
〔付記２７１〕
前記取付具が、患者の皮膚に対して前記第１患者係合基板及び前記第２患者係合基板を固着するように構成された複数のストラップを更に含む付記２７０に記載のシステム。
〔付記２７２〕
第１相補面及び第２相補面を含む取付具を提供することを更に含み、前記第１相補面が、前記第１患者係合基板の前記１つ以上のハウジングの相補面と係合するように構成され、且つ前記第２相補面が、前記第２患者係合基板の相補面と係合するように構成される付記２１６乃至２３０のいずれかに記載の方法。
〔付記２７３〕
前記取付具を着用する為の命令を提供することを更に含む付記２７２に記載の方法。
〔付記２７４〕
前記第１相補面を前記第１患者係合基板の前記１つ以上のハウジングの前記相補面と係合させる為の命令を提供して、患者の胴体に前記第１患者係合基板を位置決めすることを更に含む付記２７２又は２７３に記載の方法。
〔付記２７５〕
前記第２相補面を前記第２患者係合基板の前記相補面と係合させる為の命令を提供して、患者の胸部に前記第２患者係合基板を位置決めすることを更に含む付記２７２乃至２７４のいずれかに記載の方法。
〔付記２７６〕
アルゴリズムを適用して、前記測定された心拍数、酸素飽和度、ＥＣＧリズム、ＥＣＧ形態、ＥＣＧ振幅、胸部の動き、呼吸数、及び呼吸パターンの１つ以上を分析し、患者における睡眠時無呼吸の症状又は徴候を検出することを更に含む付記２３８乃至２４０のいずれかに記載の方法。
〔付記２７７〕
前記アルゴリズムが、固定アルゴリズムである付記２７６に記載の方法。
〔付記２７８〕
前記アルゴリズムが、患者に適応する適応アルゴリズムである付記２７６に記載の方法。
〔付記２７９〕
前記アルゴリズムに基づき、前記ウェアラブル装置の前記センサ及び前記１つ以上の検知電極のいずれかのサンプリング周波数を変更することを更に含む付記２７６乃至２７８のいずれかに記載の方法。
〔付記２８０〕
前記サンプリング周波数を変更することが、前記１つ以上の検知電極及び前記センサによって収集された所定の特性によって引き起こされる付記２７９に記載の方法。
〔付記２８１〕
アルゴリズムを適用して、前記測定された心拍数、酸素飽和度、ＥＣＧリズム、ＥＣＧ形態、ＥＣＧ振幅、胸部の動き、呼吸数、呼吸パターン、経胸腔インピーダンス、異なる体位での血圧及び血圧波形、並びに体内の血管のサイズの１つ以上を分析し、患者における心疾患の症状又は徴候を検出することを更に含む付記２４１乃至２５７のいずれかに記載の方法。
〔付記２８２〕
前記アルゴリズムが、固定アルゴリズムである付記２８１に記載の方法。
〔付記２８３〕
前記アルゴリズムが、患者に適応する適応アルゴリズムである付記２８１に記載の方法。
〔付記２８４〕
前記アルゴリズムに基づき、前記ウェアラブル装置の前記センサ及び前記１つ以上の検知電極のいずれかのサンプリング周波数を変更することを更に含む付記２８１乃至２８３のいずれかに記載の方法。
〔付記２８５〕
前記サンプリング周波数を変更することが、前記１つ以上の検知電極及び前記センサによって収集された所定の特性によって引き起こされる付記２８４に記載の方法。